(57)【要約】【課題】機器に直流電源から出力される直流電圧の低下を監視する回路等を設けることなく、前記機器が前記直流電圧の低下を検出可能な直流電源装置を提供する。【解決手段】直流電源装置１０は、直流電源１１と、直流電源１１から出力される直流電圧Ｖｉｎを直流の出力電圧Ｖｏｕｔに変換するＤＣ／ＤＣコンバータ１２と、直流電源１１から出力される直流電圧Ｖｉｎを検出する電圧検出部１４と、電圧検出部１４で検出された直流電圧Ｖｉｎが閾値電圧よりも低い場合に、ＤＣ／ＤＣコンバータ１２で得られる出力電圧Ｖｏｕｔを所定の電圧範囲内で低下させる電圧調整部１５と、を備える。【選択図】図１
2020036473.tif 000002
【特許請求の範囲】
【請求項１】
直流電源と、
前記直流電源から出力される直流電圧を直流の出力電圧に変換するＤＣ／ＤＣコンバータと、
前記直流電源から出力される直流電圧を検出する電圧検出部と、
前記電圧検出部で検出された前記直流電圧が閾値電圧よりも低い場合に、前記ＤＣ／ＤＣコンバータで得られる前記出力電圧を所定の電圧範囲内で低下させる電圧調整部と、
を備える、直流電源装置。
【請求項２】
請求項１に記載の直流電源装置において、
前記電圧調整部は、前記電圧検出部で検出された前記直流電圧が前記閾値電圧よりも低い場合に、前記直流電圧に応じて、前記出力電圧を前記所定の電圧範囲内で段階的に低下させる、直流電源装置。
【請求項３】
請求項１または２に記載の直流電源装置において、
前記所定の電圧範囲は、直流電源装置から電力が供給される機器の動作電圧範囲である、直流電源装置。
【請求項４】
請求項１から３のいずれか一つに記載の直流電源装置において、
前記ＤＣ／ＤＣコンバータは、前記出力電圧から得られる帰還電圧を用いて、前記直流電圧を前記出力電圧に変換し、
前記電圧調整部は、前記電圧検出部の検出結果に応じて、前記帰還電圧を変動させることにより、前記出力電圧を前記所定の電圧範囲内で変化させる、直流電源装置。
【請求項５】
請求項４に記載の直流電源装置において、
前記出力電圧から前記帰還電圧を得る抵抗分圧回路をさらに備え、
前記電圧調整部は、
前記抵抗分圧回路の抵抗値を切り換え可能な可変抵抗部を有し、
前記可変抵抗部によって前記抵抗分圧回路の抵抗値を切り換えることにより、前記帰還電圧を変動させる、直流電源装置。
【請求項６】
請求項１から５のいずれか一つに記載の直流電源装置において、
前記直流電源は、電池である、直流電源装置。
【請求項７】
請求項１から６のいずれか一つに記載の直流電源装置と、
前記直流電源装置から出力される出力電圧によって動作する動作部と、
前記出力電圧の低下を検出する電圧低下検出部と、
を備える、機器。
【発明の詳細な説明】
【技術分野】
【０００１】
本発明は、直流電源から出力される直流電圧を直流の出力電圧に変換して出力する直流電源装置及びそれを備えた機器に関する。
【背景技術】
【０００２】
電池などの直流電源の出力電圧をＤＣ／ＤＣコンバータによって直流電圧に変換する直流電源装置が知られている。このような直流電源装置を用いることにより、電力供給を受ける機器が必要とする直流電圧に合わせて直流電源を選択することなく、一般的な電池等を直流電源として用いて前記機器を動作させることが可能になる。
【０００３】
上述のような直流電源装置から電力が供給される機器として、例えば特許文献１に開示される無線通信装置及び特許文献２に開示されるワイヤレス送信機などが知られている。前記機器では、前記直流電源として例えば電池を用いた場合、前記電池の残容量が少なくなると、十分な性能が得られなくなる。そのため、前記機器において、前記電池の残容量の検出を行う必要がある。
【０００４】
しかしながら、上述のようにＤＣ／ＤＣコンバータを有する直流電源装置では、ＤＣ／ＤＣコンバータが出力電圧を一定にするように駆動する。そのため、前記ＤＣ／ＤＣコンバータの出力電圧に基づいて前記電池の容量低下を精度良く検出することは難しい。これに対し、上述の特許文献１，２に開示される構成では、機器が、電池の残容量を検出可能な構成を有する。
【０００５】
前記特許文献１に開示される無線通信装置は、自動販売機、料金検出装置などにおける販売量、使用量及び料金などのデータを無線通信により収集する無線テレメータである。この無線通信装置は、電池を電源として内蔵しており、該電池の電圧を所定の電圧に変換するＤＣ／ＤＣコンバータを備えている。前記無線通信装置は、前記電池の交換時期を判断するために、所定単位時間内におけるＤＣ／ＤＣコンバータのスイッチング回数を測定し、該スイッチング回数が基準値を所定回数以上、超えた場合に、電池の供給能力がなくなったと判断する判断手段を備えている。
【０００６】
前記特許文献２に開示されるワイヤレス送信機は、電源部に市販の蓄電手段としての電池を用いるとともに、該電池から出力される電圧をＤＣ／ＤＣコンバータによって所定の電圧に変換することにより、必要な電圧を得ている。前記ワイヤレス送信機は、電池の残存電圧を監視し、その残存電圧が所定の閾値電圧よりも低下した場合に、電池の交換を促す電池交換警告表示を表示部で行う。
【先行技術文献】
【特許文献】
【０００７】
【特許文献１】特開２００８−５８３２２号公報
【特許文献２】特開２００７−１５９１９４号公報
【発明の概要】
【発明が解決しようとする課題】
【０００８】
しかしながら、前記特許文献１に開示されるように、ＤＣ／ＤＣコンバータのスイッチング回数に基づいて電池の供給能力を判定したり、前記特許文献２に開示されるように、電池の残存電圧を監視したりするためには、機器に専用の回路等を設ける必要がある。
【０００９】
したがって、機器が直流電源から出力される直流電圧の低下を監視する回路等を有していない場合には、前記機器が前記直流電圧の低下を検出することができない。そのため、機器に、直流電源から出力される直流電圧の低下を監視する専用の回路等を設けることなく、前記機器が前記直流電圧の低下を検出可能な構成が望まれている。
【００１０】
本発明の目的は、機器に直流電源から出力される直流電圧の低下を監視する回路等を設けることなく、前記機器が前記直流電圧の低下を検出可能な直流電源装置を提供することにある。
【課題を解決するための手段】
【００１１】
本発明の一実施形態に係る直流電源装置は、直流電源と、前記直流電源から出力される直流電圧を直流の出力電圧に変換するＤＣ／ＤＣコンバータと、前記直流電源から出力される直流電圧を検出する電圧検出部と、前記電圧検出部で検出された前記直流電圧が閾値電圧よりも低い場合に、前記ＤＣ／ＤＣコンバータで得られる前記出力電圧を所定の電圧範囲内で低下させる電圧調整部と、を備える（第１の構成）。
【００１２】
上述の構成では、直流電源から出力される直流電圧をＤＣ／ＤＣコンバータによって直流の出力電圧に変換する直流電源装置において、前記直流電圧が閾値電圧よりも低い場合に、電圧調整部によって前記出力電圧を低下させる。これにより、前記出力電圧が供給される機器によって、前記出力電圧の低下を検知することが可能になる。よって、前記機器に前記直流電圧を監視するための回路等を設けることなく、前記機器によって、前記直流電圧の低下を検出することが可能になる。
【００１３】
しかも、前記所定の電圧範囲を前記機器の動作電圧範囲とすると、前記電圧調整部によって前記出力電圧を所定の電圧範囲内で低下させることにより、前記電圧調整部による前記出力電圧の低下が、前記機器の動作に影響を与えることを防止できる。よって、前記機器により、前記直流電圧の低下を検出することができる。
【００１４】
前記第１の構成において、前記電圧調整部は、前記電圧検出部で検出された前記直流電圧が前記閾値電圧よりも低い場合に、前記直流電圧に応じて、前記出力電圧を前記所定の電圧範囲内で段階的に低下させる（第２の構成）。
【００１５】
これにより、直流電源から出力される直流電圧に応じて、所定の電圧範囲内で段階的に変化する出力電圧を機器に供給することができる。よって、前記機器は、段階的に変化する出力電圧によって、前記直流電源から出力される前記直流電圧の変化を検出することができる。
【００１６】
前記第１または第２の構成において、前記所定の電圧範囲は、直流電源装置から電力が供給される機器の動作電圧範囲である（第３の構成）。
【００１７】
これにより、ＤＣ／ＤＣコンバータによって直流電圧から変換される出力電圧を、直流電源装置から電力が供給される機器の動作電圧範囲内で、低下させることができる。よって、動作中の前記機器によって、前記直流電圧の低下を検出することが可能になる。
【００１８】
前記第１から第３の構成のうちいずれか一つの構成において、前記ＤＣ／ＤＣコンバータは、前記出力電圧から得られる帰還電圧を用いて、前記直流電圧を前記出力電圧に変換する。前記電圧調整部は、前記電圧検出部の検出結果に応じて、前記帰還電圧を変動させることにより、前記出力電圧を前記所定の電圧範囲内で変化させる（第４の構成）。
【００１９】
これにより、ＤＣ／ＤＣコンバータによる直流電圧から出力電圧への変換を、電圧調整部によって制御することができる。したがって、前記電圧調整部によって前記出力電圧を変化させることができる。よって、前記出力電圧の低下に基づいて、機器による前記直流電圧の変化の検出が可能になる。
【００２０】
前記第４の構成において、前記直流電源装置は、前記出力電圧から前記帰還電圧を得る抵抗分圧回路をさらに備える。前記電圧調整部は、前記抵抗分圧回路の抵抗値を切り換え可能な可変抵抗部を有し、前記可変抵抗部によって前記抵抗分圧回路の抵抗値を切り換えることにより、前記帰還電圧を変動させる（第５の構成）。
【００２１】
これにより、電圧調整部によって、ＤＣ／ＤＣコンバータに入力される帰還電圧を容易に変動させることができる。よって、ＤＣ／ＤＣコンバータによって直流電圧から変換される出力電圧を、前記電圧調整部によって、所定の電圧範囲内で容易に低下させることができる。
【００２２】
前記第１から第５の構成のうちいずれか一つの構成において、前記直流電源は、電池である（第６の構成）。これにより、一般的な電池を用いて機器に電力を供給することが可能になるとともに、電池の残容量が低下した場合に、機器によって容易に検出することができる。したがって、機器の構成を変更することなく且つ機器の動作電圧に対応した特殊な電池を用いることなく、一般的な電池を備えた直流電源装置を機器に組み込むことが可能になる。
【００２３】
本発明の一実施形態に係る機器は、上述の第１から第６の構成のうちいずれか一つの構成を有する直流電源装置と、前記直流電源装置から出力される出力電圧によって動作する動作部と、前記出力電圧の低下を検出する電圧低下検出部と、を備える（第７の構成）。
【００２４】
これにより、上述の各構成を有する直流電源装置を用いて、機器を動作させることができる。しかも、直流電源から出力される直流電圧が低下した場合、前記機器によって、前記直流電源装置から出力される出力電圧に基づいて、前記直流電圧の低下を検出することができる。
【発明の効果】
【００２５】
本発明の一実施形態に係る直流電源装置によれば、電圧検出部で検出された直流電源の直流電圧が閾値電圧よりも低い場合に、ＤＣ／ＤＣコンバータで得られる出力電圧を所定の電圧範囲内で低下させる電圧調整部を備える。これにより、前記直流電圧が前記閾値電圧よりも低くなると、直流電源装置から機器に出力される出力電圧を低下させることができる。よって、機器に直流電源から出力される直流電圧を監視する回路を設けることなく、前記直流電圧が低下したことを、機器によって検出することが可能になる。
【図面の簡単な説明】
【００２６】
【図１】図１は、実施形態１に係る直流電源装置を備えた機器の構成を示すブロック図である。
【図２】図２は、実施形態１に係る直流電源装置における直流電圧の低下検出の動作と、機器における電圧低下検出の動作とを示すフローである。
【図３】図３は、実施形態２に係る直流電源装置を備えた機器の図１相当図である。
【図４】図４は、実施形態２に係る直流電源装置の動作と、それを備えた機器の動作とを示す図２相当図である。
【図５】図５は、その他の実施形態に係る直流電源装置を備えた機器の図１相当図である。
【図６】図６は、その他の実施形態に係る直流電源装置を備えた機器の図１相当図である。
【図７】図７は、その他の実施形態に係る直流電源装置を備えた機器の図１相当図である。
【発明を実施するための形態】
【００２７】
以下、図面を参照し、本発明の実施の形態を詳しく説明する。図中の同一または相当部分については同一の符号を付してその説明は繰り返さない。
【００２８】
［実施形態１］
（機器）
図１は、本発明の実施形態１に係る直流電源装置１０を備えた機器１の概略構成を示すブロック図である。この機器１は、直流電源装置１０から供給される電力によって動作する。なお、機器１は、例えば、小型の通信機器、表示装置などのように、比較的少ない電力で駆動可能な機器である。なお、機器１は、直流電源装置１０で動作可能な構成を有していれば、対象機器及び用途を限定されない。
【００２９】
機器１は、直流電源装置１０と、直流電源装置１０から供給される電力によって動作する動作部２と、直流電源装置１０から出力される出力電圧Ｖｏｕｔの低下を検出する電圧低下検出部３と、電圧低下検出部３で出力電圧Ｖｏｕｔの低下を検出した際に報知する報知部４とを備えている。
【００３０】
動作部２は、直流電源装置１０から供給される電力によって、機器１が要求される動作を行う。動作部２は、直流電源装置１０から出力される出力電圧Ｖｏｕｔが機器１の動作電圧範囲よりも小さい場合には、動作しない。前記動作電圧範囲は、機器１が動作可能な入力電圧（直流電源装置１０の出力電圧Ｖｏｕｔ）の範囲である。
【００３１】
電圧低下検出部３は、直流電源装置１０から動作部２に出力される出力電圧Ｖｏｕｔが、所定電圧以下の場合に、電圧低下検出信号を出力する。前記所定電圧は、動作部２の前記動作電圧範囲内で設定される。電圧低下検出部３は、直流電源装置１０から出力される出力電圧Ｖｏｕｔが、前記動作電圧範囲よりも小さい場合には、動作しない。
【００３２】
報知部４は、電圧低下検出部３から前記電圧低下検出信号が出力された場合に、直流電源装置１０の後述する直流電源１１から出力される直流電圧Ｖｉｎが低下したことを報知する。例えば直流電源１１が電池の場合、報知部４は、前記電圧低下検出信号に基づいて、電池の交換時期または充電時期などを報知する。報知部４は、報知可能な構成を有していれば、光、音、振動等のいずれによって報知する構成であってもよい。
【００３３】
（直流電源装置）
直流電源装置１０は、機器１に対して直流の出力電圧Ｖｏｕｔを出力する。すなわち、直流電源装置１０は、機器１に対して動作部２等が動作するための直流電力を供給する。直流電源装置１０は、直流電源１１と、ＤＣ／ＤＣコンバータ１２と、抵抗分圧回路１３と、電圧検出部１４と、電圧調整部１５と、とを有する。
【００３４】
直流電源１１は、ＤＣ／ＤＣコンバータ１２に対して直流電圧Ｖｉｎを出力する。すなわち、直流電源１１は、例えば、一次電池、二次電池、キャパシタ、太陽電池などの直流電圧を出力可能な電源である。直流電源１１は、貯留したエネルギーを直流電圧として出力可能な構成であれば、どのような構成を有していてもよい。
【００３５】
ＤＣ／ＤＣコンバータ１２は、直流電源１１から出力される直流電圧Ｖｉｎを、所定の電位を有する出力電圧Ｖｏｕｔに変換する。すなわち、ＤＣ／ＤＣコンバータ１２は、直流電源１１から出力される直流電圧Ｖｉｎを昇圧または降圧することにより、出力電圧Ｖｏｕｔに変換して出力する。
【００３６】
ＤＣ／ＤＣコンバータ１２は、出力電圧Ｖｏｕｔから後述の抵抗分圧回路１３を介して得られる帰還電圧ＶｆｂをＤＣ／ＤＣコンバータに帰還させることで、直流電圧Ｖｉｎから出力電圧Ｖｏｕｔへの電圧変換を行う。具体的には、ＤＣ／ＤＣコンバータ１２は、抵抗分圧回路１３を介して得られる帰還電圧Ｖｆｂが一定値になるように、直流電圧Ｖｉｎから出力電圧Ｖｏｕｔへの電圧変換を行う。これにより、ＤＣ／ＤＣコンバータ１２に対して入力される直流電圧Ｖｉｎが変動した場合でも、ＤＣ／ＤＣコンバータ１２は、出力電圧Ｖｏｕｔを一定に保つように、前記電圧変換を行う。
【００３７】
上述のように、直流電源装置１０がＤＣ／ＤＣコンバータ１２を備えていることにより、直流電源として、機器１の動作電圧に対応する電源を用いる必要がない。すなわち、機器１の動作電圧が一般的な電池から出力される直流電圧と異なる場合、前記電池から出力される直流電圧を、ＤＣ／ＤＣコンバータ１２によって、前記動作電圧に対応する出力電圧に変換することができる。これにより、直流電源として、機器１の動作電圧に対応した特殊な電池ではなく、一般的な電池を用いることができるため、コスト低減を図れる。
【００３８】
なお、ＤＣ／ＤＣコンバータ１２の構成は、従来のＤＣ／ＤＣコンバータと同様であるため、ＤＣ／ＤＣコンバータ１２の詳しい説明を省略する。
【００３９】
抵抗分圧回路１３は、ＤＣ／ＤＣコンバータ１２の出力電圧Ｖｏｕｔから、ＤＣ／ＤＣコンバータに帰還させる帰還電圧Ｖｆｂを生成する回路である。具体的には、抵抗分圧回路１３は、ＤＣ／ＤＣコンバータ１２の出力端子と接地との間に、電気的に直列に接続された複数の抵抗１３ａ，１３ｂを有し、該複数の抵抗１３ａ，１３ｂの中点の電位を、帰還電圧ＶｆｂとしてＤＣ／ＤＣコンバータ１２の電圧入力端子に入力する。すなわち、抵抗分圧回路１３は、前記出力電圧に比例した電圧を得るための分圧回路である。
【００４０】
電圧検出部１４は、直流電源１１から出力される直流電圧Ｖｉｎを検出する。電圧検出部１４は、直流電圧Ｖｉｎが閾値電圧よりも低い場合に、検出信号を出力する。特に図示しないが、電圧検出部１４は、例えば、直流電圧Ｖｉｎが前記閾値電圧よりも低いかどうかを比較するための比較器を有し、直流電圧Ｖｉｎが前記閾値電圧よりも低い場合に、電圧調整部１５に対して、前記検出信号を出力する。
【００４１】
電圧調整部１５は、電圧検出部１４から前記検出信号が出力された場合に、抵抗分圧回路１３の抵抗値を変更する。これにより、電圧調整部１５は、ＤＣ／ＤＣコンバータ１２の出力電圧Ｖｏｕｔから得られる帰還電圧Ｖｆｂを変動させる。具体的には、電圧調整部１５は、抵抗分圧回路１３において電気的に直列に接続された抵抗１３ａ，１３ｂのうち一方の抵抗１３ｂに対して電気的に並列に接続された並列回路１６を含む。
【００４２】
並列回路１６は、電気的に直列に接続されたスイッチ１６ａ及び抵抗１６ｂを有する。
【００４３】
スイッチ１６ａは、電圧検出部１４から出力される検出信号によって、オフ状態になる。スイッチ１６ａは、例えばＦＥＴなどのスイッチング素子である。なお、スイッチ１６ａは、電圧検出部１４から出力された検出信号によって、スイッチ動作が可能であれば、どのような構成を有していてもよい。
【００４４】
抵抗１６ｂは、スイッチ１６ａを介して、抵抗分圧回路１３の抵抗１３ｂに対して電気的に並列に接続されている。すなわち、抵抗１６ｂは、スイッチ１６ａがオン状態の際には、抵抗分圧回路１３の抵抗１３ｂに対して電気的に並列に接続され、スイッチ１６ａがオフ状態の際には、抵抗分圧回路１３から電気的に切り離される。よって、抵抗１６ｂは、電圧検出部１４から検出信号が出力された場合に、スイッチ１６ａがオフ状態となるため、抵抗分圧回路１３の抵抗１３ｂに対して電気的に切り離される。並列回路１６は、抵抗分圧回路１３の抵抗値を切り換え可能な可変抵抗部を構成する。
【００４５】
上述のように抵抗１３ｂに対して電気的に並列に接続された抵抗１６ｂが切り離された場合、抵抗１３ｂのみの抵抗値は、抵抗１６ｂが抵抗分圧回路１３の抵抗１３ｂに対して電気的に並列に接続された場合の抵抗値に比べて大きい。これにより、分圧回路である抵抗分圧回路１３では、抵抗１３ａ及び抵抗１３ｂの中点の電位が上昇するため、ＤＣ／ＤＣコンバータ１２に入力される帰還電圧Ｖｆｂが上昇する。したがって、ＤＣ／ＤＣコンバータ１２は、帰還電圧Ｖｆｂを元の電圧に低下させるように、出力電圧Ｖｏｕｔを低下させる電圧変換を行う。
【００４６】
電圧調整部１５としての並列回路１６を上述のように動作させることにより、電圧検出部１４から検出信号が出力された場合、すなわち直流電源１１から出力される直流電圧Ｖｉｎが閾値電圧よりも低い場合に、ＤＣ／ＤＣコンバータ１２の出力電圧Ｖｏｕｔを低下させることができる。
【００４７】
なお、並列回路１６の抵抗１６ｂの抵抗値は、ＤＣ／ＤＣコンバータ１２の出力電圧Ｖｏｕｔが機器１の動作電圧範囲（所定の電圧範囲）内で低下するように設定される。
【００４８】
（直流電圧低下検出動作）
次に、上述の構成を有する直流電源装置１０を備えた機器１が、直流電源１１から出力される直流電圧Ｖｉｎの低下を検出した際の動作を、図２に示すフローを用いて説明する。図２は、直流電源装置１０における直流電圧Ｖｉｎの低下検出の動作と、機器１における電圧低下検出の動作とを示すフローである。
【００４９】
図２に示すように、まず、直流電源装置１０の電圧検出部１４が、直流電源１１から出力される直流電圧Ｖｉｎを検出する（ステップＳＡ１）。電圧検出部１４は、直流電圧Ｖｉｎが閾値電圧よりも低い場合（ステップＳＡ２においてＹＥＳの場合）、電圧調整部１５のスイッチ１６ａに対して検出信号を出力する（ステップＳＡ３）。
【００５０】
一方、電圧検出部１４は、直流電圧Ｖｉｎが閾値電圧以上の場合（ステップＳＡ２においてＮＯの場合）、前記検出信号を出力することなく、直流電源１１から出力される直流電圧Ｖｉｎの検出を継続する。
【００５１】
電圧検出部１４から電圧調整部１５のスイッチ１６ａに対して前記検出信号が出力されると、スイッチ１６ａはオフ状態になる（ステップＳＡ４）。そうすると、電圧調整部１５の抵抗１６ｂは、抵抗分圧回路１３の抵抗１３ｂに対して電気的に並列接続から切り離される。これにより、抵抗分圧回路１３における抵抗１３ａと抵抗１３ｂとの中点の電位が上昇するため、ＤＣ／ＤＣコンバータ１２に入力される帰還電圧Ｖｆｂが上昇する。よって、ＤＣ／ＤＣコンバータ１２は、帰還電圧Ｖｆｂを元の電圧に戻すように、出力電圧Ｖｏｕｔを低下させる電圧変換を行う（ステップＳＡ５）。なお、出力電圧Ｖｏｕｔの低下は、機器１の動作電圧範囲内である。
【００５２】
機器１の電圧低下検出部３は、ＤＣ／ＤＣコンバータ１２の出力電圧Ｖｏｕｔの低下を検出すると、電圧低下検出信号を生成して報知部４に対して出力する（ステップＳＡ６）。報知部４は、電圧低下検出部３から前記電圧低下検出信号が入力されると、直流電源１１の直流電圧Ｖｉｎの低下を報知する（ステップＳＡ７）。
【００５３】
既述のように、ＤＣ／ＤＣコンバータ１２は、直流電源１１から出力される直流電圧Ｖｉｎが変化した場合でも、出力電圧Ｖｏｕｔを一定にするように電圧変換を行う。そのため、例えば直流電源１１が電池の場合、該電池の残容量が大きく低下して直流電圧Ｖｉｎが大きく低下するまで、ＤＣ／ＤＣコンバータ１２は、出力電圧Ｖｏｕｔをできるだけ一定にするように電圧変換を行う。したがって、ＤＣ／ＤＣコンバータ１２の出力電圧Ｖｏｕｔが大きく低下した際には、出力電圧Ｖｏｕｔが機器１の動作に必要な動作電圧よりも低下して、機器１の電圧低下検出部３で、出力電圧Ｖｏｕｔの低下を検出できない可能性がある。
【００５４】
これに対し、本実施形態の直流電源装置１０は、直流電源１１から出力される直流電圧Ｖｉｎを検出する電圧検出部１４と、電圧検出部１４で検出された直流電圧Ｖｉｎが閾値電圧よりも低い場合に、ＤＣ／ＤＣコンバータ１２で得られる出力電圧Ｖｏｕｔを所定の電圧範囲内で低下させる電圧調整部１５とを備えている。前記所定の電圧範囲は、機器１が動作可能な動作電圧範囲である。
【００５５】
これにより、直流電源１１から出力される直流電圧Ｖｉｎが閾値電圧よりも低い場合に、ＤＣ／ＤＣコンバータ１２から出力される出力電圧Ｖｏｕｔを低下させて、機器１に検出させることが可能になる。よって、機器１では、直流電源１１の電圧低下に応じて報知することができる。
【００５６】
以上のように、本実施形態の直流電源装置１０の構成により、機器１の動作電圧に対応しない一般的で且つ安価な直流電源１１を用いてコスト低減を図りつつ、機器１に直流電源１１の直流電圧Ｖｉｎを監視する回路を設けることなく、機器１が直流電圧Ｖｉｎの低下を検出することができる。すなわち、直流電源装置１０を上述の構成にすることで、機器１の構成を変更することなく、既存の直流電源に代えて、安価な直流電源を備えた直流電源装置１０を機器１に組み込むことが可能になる。
【００５７】
［実施形態２］
図３に、本発明の実施形態２に係る直流電源装置１１０を備えた機器１０１の概略構成を示す。この実施形態では、直流電圧Ｖｉｎを複数の閾値電圧と比較し、その比較結果に応じて、出力電圧Ｖｏｕｔを所定の電圧範囲内で段階的に変化させる点で、実施形態１の構成と相違する。以下では、実施形態１の構成と同様の構成については同一の符号を付して説明を省略し、実施形態１の構成と異なる部分についてのみ説明する。
【００５８】
図３に示すように、直流電源装置１１０は、直流電源１１と、ＤＣ／ＤＣコンバータ１２と、抵抗分圧回路１３と、第１電圧検出部１１４ａと、第２電圧検出部１１４ｂと、第１電圧調整部１１５ａと、第２電圧調整部１１５ｂとを有する。
【００５９】
第１電圧検出部１１４ａは、直流電圧Ｖｉｎが第１閾値電圧よりも低い場合に第１検出信号を出力する。特に図示しないが、第１電圧検出部１１４ａは、例えば、直流電圧Ｖｉｎが前記第１閾値電圧よりも低いかどうかを比較するための比較器を有し、直流電圧Ｖｉｎが前記第１閾値電圧よりも低い場合に、第１電圧調整部１１５ａに対して、前記第１検出信号を出力する。
【００６０】
第２電圧検出部１１４ｂは、直流電圧Ｖｉｎが第２閾値電圧よりも低い場合に第２検出信号を出力する。特に図示しないが、第２電圧検出部１１４ｂは、例えば、直流電圧Ｖｉｎが前記第２閾値電圧よりも低いかどうかを比較するための比較器を有し、直流電圧Ｖｉｎが前記第２閾値電圧よりも低い場合に、第２電圧調整部１１５ｂに対して、前記第２検出信号を出力する。
【００６１】
本実施形態では、前記第２閾値電圧は、前記第１閾値電圧よりも低い。
【００６２】
第１電圧調整部１１５ａは、第１電圧検出部１１４ａから前記第１検出信号が出力された場合に、抵抗分圧回路１３の抵抗値を変更する。これにより、第１電圧調整部１１５ａは、ＤＣ／ＤＣコンバータ１２の出力電圧Ｖｏｕｔから得られる帰還電圧Ｖｆｂを変動させる。具体的には、第１電圧調整部１１５ａは、抵抗分圧回路１３において電気的に直列に接続された抵抗１３ａ，１３ｂのうち一方の抵抗１３ｂに対して電気的に並列に接続された第１並列回路１１６を含む。
【００６３】
第２電圧調整部１１５ｂは、電圧検出部１１４ｂから前記第２検出信号が出力された場合に、抵抗分圧回路１３の抵抗値を変更する。これにより、第２電圧調整部１１５ｂは、ＤＣ／ＤＣコンバータ１２の出力電圧Ｖｏｕｔから得られる帰還電圧Ｖｆｂを変動させる。具体的には、第２電圧調整部１１５ｂは、抵抗分圧回路１３において電気的に直列に接続された抵抗１３ａ，１３ｂのうち一方の抵抗１３ｂに対して電気的に並列に接続された第２並列回路１１７を含む。
【００６４】
第１電圧調整部１１５ａの第１並列回路１１６と、第２電圧調整部１１５ｂの第２並列回路１１７とは電気的に並列に接続されている。
【００６５】
第１並列回路１１６は、電気的に直列に接続された第１スイッチ１１６ａ及び第１抵抗１１６ｂを有する。
【００６６】
第１スイッチ１１６ａは、第１電圧検出部１１４ａから出力される第１検出信号によって、オフ状態になる。第１スイッチ１１６ａは、例えばＦＥＴなどのスイッチング素子である。なお、第１スイッチ１１６ａは、第１電圧検出部１１４ａから出力された検出信号によって、スイッチ動作が可能であれば、どのような構成を有していてもよい。
【００６７】
第１抵抗１１６ｂは、第１スイッチ１１６ａを介して、抵抗分圧回路１３の抵抗１３ｂに対して電気的に並列に接続されている。すなわち、第１抵抗１１６ｂは、第１スイッチ１１６ａがオン状態の際には、抵抗分圧回路１３の抵抗１３ｂに対して電気的に並列に接続され、第１スイッチ１１６ａがオフ状態の際には、抵抗分圧回路１３から電気的に切り離される。よって、第１抵抗１１６ｂは、第１電圧検出部１１４ａから第１検出信号が出力された場合に、第１スイッチ１１６ａがオフ状態となるため、抵抗分圧回路１３の抵抗１３ｂに対して電気的に切り離される。
【００６８】
第２並列回路１１７は、電気的に直列に接続された第２スイッチ１１７ａ及び第２抵抗１１７ｂを有する。
【００６９】
第２スイッチ１１７ａは、第２電圧検出部１１４ｂから出力される第２検出信号によって、オフ状態になる。第２スイッチ１１７ａは、例えばＦＥＴなどのスイッチング素子である。なお、第２スイッチ１１７ａは、第２電圧検出部１１４ｂから出力された検出信号によって、スイッチ動作が可能であれば、どのような構成を有していてもよい。第２電圧検出部１１４ｂが検出する前記第２閾値電圧は、第1電圧検出部が検出する前記第１閾値電圧よりも低いので、第２電圧検出部１１４ｂが前記第２閾値電圧を検出する際には、第１スイッチ１１６ａは常にオフ状態となっている。
【００７０】
第２抵抗１１７ｂは、第２スイッチ１１７ａを介して、抵抗分圧回路１３の抵抗１３ｂに対して電気的に並列に接続されている。すなわち、第２抵抗１１７ｂは、第２スイッチ１１７ａがオン状態の際には、抵抗分圧回路１３の抵抗１３ｂに対して電気的に並列に接続され、第２スイッチ１１７ａがオフ状態の際には、抵抗分圧回路１３から電気的に切り離される。
【００７１】
第１並列回路１１６及び第２並列回路１１７は、抵抗分圧回路１３の抵抗値を切り換え可能な可変抵抗部を構成する。上述のように抵抗１３ｂに対して電気的に並列に接続された第１抵抗１１６ｂが切り離された場合、並列に接続された抵抗１３ｂ及び第２抵抗１１７ｂの合成抵抗値は、第１抵抗１１６ｂが抵抗分圧回路１３の抵抗１３ｂと第２抵抗１１７ｂとに対して電気的に並列に接続された場合に比べて大きい。これにより、分圧回路である抵抗分圧回路１３では、抵抗１３ａ及び抵抗１３ｂの中点の電位が上昇するため、ＤＣ／ＤＣコンバータ１２に入力される帰還電圧Ｖｆｂが上昇する。したがって、ＤＣ／ＤＣコンバータ１２は、帰還電圧Ｖｆｂを元の電圧に低下させるように、出力電圧Ｖｏｕｔを低下させる電圧変換を行う。
【００７２】
第２抵抗１１７ｂは、第２電圧検出部１１４ｂから第２検出信号が出力された場合に、第２スイッチ１１７ａがオフ状態となるため、抵抗分圧回路１３の抵抗１３ｂに対して電気的に切り離される。
【００７３】
上述のように抵抗１３ｂに対して電気的に並列に接続された第２抵抗１１７ｂが切り離された場合、抵抗１３ｂのみの抵抗値は、第２抵抗１１７ｂが抵抗分圧回路１３の抵抗１３ｂに対して電気的に並列に接続された場合に比べて大きい。これにより、分圧回路である抵抗分圧回路１３では、抵抗１３ａ及び抵抗１３ｂの中点の電位が上昇する。よって、ＤＣ／ＤＣコンバータ１２に入力される帰還電圧Ｖｆｂは、上昇する。ＤＣ／ＤＣコンバータ１２は、帰還電圧Ｖｆｂを元の電圧に低下させるように、出力電圧Ｖｏｕｔを低下させる電圧変換を行う。
【００７４】
上述のように、ＤＣ／ＤＣコンバータ１２に入力される帰還電圧Ｖｆｂは、抵抗分圧回路１３の抵抗１３ｂのみの場合、抵抗１３ｂと第２抵抗１１７ｂとが電気的に並列に接続された場合、抵抗１３ｂと第１抵抗１１６ｂと第２抵抗１１７ｂとが電気的に並列に接続された場合の順に、大きい。よって、第１並列回路１１６の第１スイッチ１１６ａ及び第２並列回路１１７の第２スイッチ１１７ａをそれぞれ駆動させることにより、帰還電圧Ｖｆｂを段階的に変えることができる。
【００７５】
なお、第１抵抗１１６ｂ及び第２抵抗１１７ｂの抵抗値は、ＤＣ／ＤＣコンバータ１２の出力電圧Ｖｏｕｔが機器１０１の動作電圧範囲（所定の電圧範囲）内で低下するように設定される。
【００７６】
本実施形態の電圧低下検出部１０３は、ＤＣ／ＤＣコンバータ１２の出力電圧Ｖｏｕｔの低下を２段階で検出する。すなわち、電圧低下検出部１０３は、ＤＣ／ＤＣコンバータ１２の出力電圧Ｖｏｕｔが、第１基準値を下回った場合には、第１電圧低下検出信号を生成し、前記第１基準値よりも低い第２基準値を下回った場合には、第２電圧低下検出信号を生成する。これにより、電圧低下検出部１０３は、ＤＣ／ＤＣコンバータ１２の出力電圧Ｖｏｕｔに応じて、電圧低下検出信号を生成することができる。
【００７７】
また、本実施形態の報知部１０４は、電圧低下検出部１０３から出力される第１電圧検出信号に応じた報知を行うとともに、電圧低下検出部１０３から出力される第２電圧検出信号に応じた報知を行う。これにより、報知部１０４は、ＤＣ／ＤＣコンバータ１２の出力電圧Ｖｏｕｔに応じて、報知を行うことができる。
【００７８】
以上の構成により、直流電源１１から出力される直流電圧Ｖｉｎが第１閾値電圧よりも低い場合には、第１電圧検出部１１４ａから第１検出信号を出力することにより、第１並列回路１１６の第１スイッチ１１６ａをオフ状態にする。これにより、帰還電圧Ｖｆｂを、抵抗分圧回路１３の抵抗１３ｂと第１抵抗１１６ｂと第２抵抗１１７ｂとが電気的に並列に接続された場合に比べて、大きくすることができる。よって、ＤＣ／ＤＣコンバータ１２の出力電圧を低下させることができる。
【００７９】
直流電源１１から出力される直流電圧Ｖｉｎが第２閾値電圧よりも低い場合には、第２電圧検出部１１４ｂから第２検出信号を出力することにより、第２並列回路１１７の第２スイッチ１１７ａをオフ状態にする。これにより、帰還電圧Ｖｆｂを、抵抗分圧回路１３の抵抗１３ｂと第２抵抗１１７ｂとが電気的に並列に接続された場合に比べて、大きくすることができる。よって、ＤＣ／ＤＣコンバータ１２の出力電圧をさらに低下させることができる。
【００８０】
したがって、本実施形態の構成により、直流電源１１から出力される直流電圧Ｖｉｎに応じて、ＤＣ／ＤＣコンバータ１２の出力電圧を段階的に低下させることができる。これにより、直流電源１１から出力される直流電圧Ｖｉｎの変化を精度良く検出することができる。
【００８１】
（直流電圧低下検出動作）
次に、上述の構成を有する直流電源装置１１０を備えた機器１０１が、直流電源１１から出力される直流電圧Ｖｉｎの低下を検出した際の動作を、図４に示すフローを用いて説明する。図４は、直流電源装置１１０における直流電圧Ｖｉｎの低下検出の動作と、機器１０１における電圧低下検出の動作とを示すフローである。
【００８２】
図４に示すように、まず、直流電源装置１１０の第１電圧検出部１１４ａが、直流電源１１から出力される直流電圧Ｖｉｎを検出する（ステップＳＢ１）。第１電圧検出部１１４ａは、直流電圧Ｖｉｎが第１閾値電圧よりも低い場合（ステップＳＢ２においてＹＥＳの場合）、第１電圧調整部１１５ａの第１スイッチ１１６ａに対して第１検出信号を出力する（ステップＳＢ３）。
【００８３】
一方、第１電圧検出部１１４ａは、直流電圧Ｖｉｎが第１閾値電圧以上の場合（ステップＳＢ２においてＮＯの場合）、前記第１検出信号を出力することなく、直流電源１１から出力される直流電圧Ｖｉｎの検出を継続する。
【００８４】
第１電圧検出部１１４ａから第１電圧調整部１１５ａの第１スイッチ１１６ａに対して前記第１検出信号が出力されると、第１スイッチ１１６ａはオフ状態になる（ステップＳＢ４）。そうすると、第１電圧調整部１１５ａの第１抵抗１１６ｂは、抵抗分圧回路１３の抵抗１３ｂに対して電気的に並列接続から切り離される。これにより、抵抗分圧回路１３における抵抗１３ａと抵抗１３ｂとの中点の電位が上昇するため、ＤＣ／ＤＣコンバータ１２に入力される帰還電圧Ｖｆｂが上昇する。よって、ＤＣ／ＤＣコンバータ１２は、帰還電圧Ｖｆｂを元の電圧に戻すように、出力電圧Ｖｏｕｔを低下させる電圧変換を行う（ステップＳＢ５）。なお、出力電圧Ｖｏｕｔの低下は、機器１０１の動作電圧範囲内である。
【００８５】
第２電圧検出部１１４ｂは、直流電圧Ｖｉｎが第２閾値電圧よりも低い場合（ステップＳＢ６においてＹＥＳの場合）、第２電圧調整部１１５ｂの第２スイッチ１１７ａに対して第２検出信号を出力する（ステップＳＢ７）。
【００８６】
一方、直流電圧Ｖｉｎが第２閾値電圧以上の場合（ステップＳＢ６においてＮＯの場合）、前記第２検出信号を出力しない。このとき、機器１０１の電圧低下検出部１０３は、第１検出信号に基づくＤＣ／ＤＣコンバータ１２の出力電圧Ｖｏｕｔの低下を検出して、第１電圧低下検出信号を生成して報知部１０４に対して出力する（ステップＳＢ１０）。報知部１０４は、電圧低下検出部１０３から前記第１電圧低下検出信号が入力されると、直流電源１１の直流電圧Ｖｉｎの低下を報知する（ステップＳＢ１１）。
【００８７】
第２電圧検出部１１４ｂから第２電圧調整部１１５ｂの第２スイッチ１１７ａに対して前記第２検出信号が出力されると、第２スイッチ１１７ａはオフ状態になる（ステップＳＢ８）。そうすると、第２電圧調整部１１５ｂの第２抵抗１１７ｂは、抵抗分圧回路１３の抵抗１３ｂに対して電気的に並列接続から切り離される。これにより、抵抗分圧回路１３における抵抗１３ａと抵抗１３ｂとの中点の電位がより上昇するため、ＤＣ／ＤＣコンバータ１２に入力される帰還電圧Ｖｆｂがより上昇する。よって、ＤＣ／ＤＣコンバータ１２は、帰還電圧Ｖｆｂを元の電圧に戻すように、出力電圧Ｖｏｕｔを低下させる電圧変換を行う（ステップＳＢ９）。なお、出力電圧Ｖｏｕｔの低下は、機器１０１の動作電圧範囲内である。
【００８８】
その後、機器１０１の電圧低下検出部１０３は、第２検出信号に基づくＤＣ／ＤＣコンバータ１２の出力電圧Ｖｏｕｔの低下を検出して、第２電圧低下検出信号を生成して報知部１０４に対して出力する（ステップＳＢ１０）。報知部１０４は、電圧低下検出部１０３から前記第２電圧低下検出信号が入力されると、直流電源１１の直流電圧Ｖｉｎの低下を報知する（ステップＳＢ１１）。
【００８９】
これにより、直流電源１１から出力される直流電圧Ｖｉｎに応じて、ＤＣ／ＤＣコンバータ１２の出力電圧を段階的に低下させ、それを機器１０１によって検出することにより、報知することができる。
【００９０】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【００９１】
前記実施形態１では、電圧調整部１５は、抵抗分圧回路１３の抵抗１３ｂに対して電気的に並列に接続された並列回路１６を含む。前記実施形態２では、第１電圧調整部１１５ａは、抵抗分圧回路１３の抵抗１３ｂに対して電気的に並列に接続された第１並列回路１１６を含み、第２電圧調整部１１５ｂは、抵抗分圧回路１３の抵抗１３ｂに対して電気的に並列に接続された第２並列回路１１７を含む。
【００９２】
しかしながら、抵抗分圧回路の抵抗が可変抵抗であり、該可変抵抗が電圧調整部として機能していてもよい。すなわち、電圧調整部の構成は、抵抗分圧回路の抵抗値を変更してＤＣ／ＤＣコンバータに帰還させる帰還電圧を変動させることが可能であれば、どのような構成であってもよい。
【００９３】
前記実施形態１では、電圧調整部１５は、直流電圧Ｖｉｎが閾値電圧よりも小さい場合に、ＤＣ／ＤＣコンバータ１２に入力される帰還電圧Ｖｆｂを変動させる。前記実施形態２では、第１電圧調整部１１５ａは、直流電圧Ｖｉｎが第１閾値電圧よりも小さい場合に、ＤＣ／ＤＣコンバータ１２に入力される帰還電圧Ｖｆｂを変動させ、第２電圧調整部１１５ｂは、直流電圧Ｖｉｎが第２閾値電圧よりも小さい場合に、ＤＣ／ＤＣコンバータ１２に入力される帰還電圧Ｖｆｂを変動させる。
【００９４】
しかしながら、電圧調整部は、直流電圧が閾値電圧よりも小さい場合に、ＤＣ／ＤＣコンバータの出力電圧を低下させることができる構成であれば、どのような構成を有していてもよい。
【００９５】
前記実施形態１では、電圧調整部１５の並列回路１６は、抵抗分圧回路１３の抵抗１３ｂに対して電気的に並列に接続されている。また、前記実施形態２では、第１電圧調整部１１５ａの第１並列回路１１６及び第２電圧調整部１１５ｂの第２並列回路１１７は、抵抗分圧回路１３の抵抗１３ｂに対して電気的に並列に接続されている。
【００９６】
しかしながら、電圧調整部の並列回路は、抵抗分圧回路の他の抵抗に対して電気的に並列に接続されてもよい。
【００９７】
すなわち、図５に示すように、第１電圧調整部２１５ａの第１並列回路２１６及び第２電圧調整部２１５ｂの第２並列回路２１７は、抵抗分圧回路１３の抵抗１３ａに対して電気的に並列に接続されてもよい。
【００９８】
第１電圧調整部２１５ａの第１並列回路２１６において、第１スイッチ２１６ａは、第１電圧検出部１１４ａから第１検出信号が出力されるまでオフ状態である。第１スイッチ２１６ａは、前記第１検出信号によって、オン状態になる。第１スイッチ２１６ａがオン状態の際における抵抗１３ａ及び第１抵抗２１６ｂの合成抵抗値は、第１スイッチ２１６ａがオフ状態の際における抵抗１３ａのみの抵抗値に比べて、小さい。これにより、ＤＣ／ＤＣコンバータ１２に入力される帰還電圧Ｖｆｂが上昇する。よって、ＤＣ／ＤＣコンバータ１２の出力電圧は、低下する。
【００９９】
第２電圧調整部２１５ｂの第２並列回路２１７において、第２スイッチ２１７ａは、第２電圧検出部１１４ｂから第２検出信号が出力されるまでオフ状態である。第２スイッチ２１７ａは、前記第２検出信号によって、オン状態になる。第２スイッチ２１７ａがオン状態の際における抵抗１３ａ、第１抵抗２１６ｂ及び第２抵抗２１７ｂの合成抵抗値は、第２スイッチ２１７ａがオフ状態の際における抵抗１３ａ及び第１抵抗２１６ｂの合成抵抗値に比べて、小さい。これにより、ＤＣ／ＤＣコンバータ１２に入力される帰還電圧Ｖｆｂがより上昇する。よって、ＤＣ／ＤＣコンバータ１２の出力電圧は、より低下する。
【０１００】
このように、図５に示す構成においても、直流電源１１から出力される直流電圧Ｖｉｎに応じて、ＤＣ／ＤＣコンバータ１２の出力電圧を段階的に低下させることができる。これにより、直流電源１１から出力される直流電圧Ｖｉｎの変化を精度良く検出することができる。
【０１０１】
なお、図５において、符号２０１は機器を、符号２１０は直流電源装置を、それぞれ示し、図３の構成と同様の構成には同一の符号を付している。
【０１０２】
また、電圧調整部の抵抗は、抵抗分圧回路の抵抗に対して電気的に直列に接続されてもよい。すなわち、図６に示すように、第１電圧調整部３１５ａの第１抵抗３１６ｂ及び第２電圧調整部３１５ｂの第２抵抗３１７ｂが、抵抗分圧回路１３の抵抗１３ａ，１３ｂに対して電気的に直列に接続されてもよい。
【０１０３】
第１電圧調整部３１５ａは、電気的に並列に接続された第１スイッチ３１６ａ及び第１抵抗３１６ｂを有する。第１抵抗３１６ｂは、抵抗分圧回路１３の抵抗１３ａ，１３ｂに対して電気的に直列に接続されている。第１抵抗３１６ｂは、ＤＣ／ＤＣコンバータ１２の電圧入力端子と接地との間に、抵抗１３ａ，１３ｂに対して電気的に直列に接続されている。第１スイッチ３１６ａは、第１電圧検出部１１４ａから第１検出信号が出力されるまでオン状態である。第１スイッチ３１６ａは、前記第１検出信号によって、オフ状態になる。第１スイッチ３１６ａがオフ状態の際における抵抗１３ｂ及び第１抵抗３１６ｂの合成抵抗値は、第１スイッチ３１６ａがオン状態の際における抵抗１３ｂのみの抵抗値に比べて、大きい。これにより、ＤＣ／ＤＣコンバータ１２に入力される帰還電圧Ｖｆｂが上昇する。よって、ＤＣ／ＤＣコンバータ１２の出力電圧は、低下する。
【０１０４】
第２電圧調整部３１５ｂは、電気的に並列に接続された第２スイッチ３１７ａ及び第２抵抗３１７ｂを有する。第２抵抗３１７ｂは、抵抗分圧回路１３の抵抗１３ａ，１３ｂに対して電気的に直列に接続されている。第２抵抗３１７ｂは、ＤＣ／ＤＣコンバータ１２の電圧入力端子と接地との間に、抵抗１３ａ，１３ｂに対して電気的に直列に接続されている。第２スイッチ３１７ａは、第２電圧検出部１１４ｂから第２検出信号が出力されるまでオン状態である。第２スイッチ３１７ａは、前記第２検出信号によって、オフ状態になる。第２スイッチ３１７ａがオフ状態の際における抵抗１３ｂ、第１抵抗３１６ｂ及び第２抵抗３１７ｂの合成抵抗値は、第２スイッチ３１７ａがオン状態の際における抵抗１３ｂ及び第１抵抗３１６ｂの合成抵抗値に比べて、大きい。これにより、ＤＣ／ＤＣコンバータ１２に入力される帰還電圧Ｖｆｂがより上昇する。よって、ＤＣ／ＤＣコンバータ１２の出力電圧は、より低下する。
【０１０５】
このように、図６に示す構成においても、直流電源１１から出力される直流電圧Ｖｉｎに応じて、ＤＣ／ＤＣコンバータ１２の出力電圧を段階的に低下させることができる。これにより、直流電源１１から出力される直流電圧Ｖｉｎの変化を精度良く検出することができる。
【０１０６】
なお、図６において、符号３０１は機器を、符号３１０は直流電源装置を、それぞれ示し、図３の構成と同様の構成には同一の符号を付している。
【０１０７】
図７に示すように、第１電圧調整部４１５ａの第１抵抗４１６ｂ及び第２電圧調整部４１５ｂの第２抵抗４１７ｂは、ＤＣ／ＤＣコンバータ１２の出力端子と電圧入力端子との間で、抵抗分圧回路１３の抵抗１３ａ，１３ｂに対して電気的に直列に接続されてもよい。
【０１０８】
第１電圧調整部４１５ａの第１スイッチ４１６ａは、第１電圧検出部１１４ａから第１検出信号が出力されるまでオフ状態である。第１スイッチ４１６ａは、前記第１検出信号によって、オン状態になる。第１スイッチ４１６ａがオン状態の際における抵抗１３ａ及び第２抵抗４１７ｂの合成抵抗値は、第１スイッチ４１６ａがオフ状態の際における抵抗１３ａ及び第１抵抗４１６ｂ及び第２抵抗４１７ｂの合成抵抗値に比べて、小さい。これにより、ＤＣ／ＤＣコンバータ１２に入力される帰還電圧Ｖｆｂが上昇する。よって、ＤＣ／ＤＣコンバータ１２の出力電圧は、低下する。
【０１０９】
第２電圧調整部４１５ｂの第２スイッチ４１７ａは、第２電圧検出部１１４ｂから第２検出信号が出力されるまでオフ状態である。第２スイッチ４１７ａは、前記第２検出信号によって、オン状態になる。第２スイッチ４１７ａがオン状態の際における抵抗１３ａのみの抵抗値は、第２スイッチ４１７ａがオフ状態の際における抵抗１３ａ及び第２抵抗４１７ｂの合成抵抗値に比べて、小さい。これにより、ＤＣ／ＤＣコンバータ１２に入力される帰還電圧Ｖｆｂがより上昇する。よって、ＤＣ／ＤＣコンバータ１２の出力電圧は、より低下する。
【０１１０】
このように、図７に示す構成においても、直流電源１１から出力される直流電圧Ｖｉｎに応じて、ＤＣ／ＤＣコンバータ１２の出力電圧を段階的に低下させることができる。これにより、直流電源１１から出力される直流電圧Ｖｉｎの変化を精度良く検出することができる。
なお、図７において、符号４０１は機器を、符号４１０は直流電源装置を、それぞれ示し、図３の構成と同様の構成には同一の符号を付している。
【０１１１】
前記各実施形態では、ＤＣ／ＤＣコンバータ１２は、抵抗分圧回路１３によって出力電圧Ｖｏｕｔから得られる帰還電圧Ｖｆｂが一定になるように、電圧変換を行う。しかしながら、ＤＣ／ＤＣコンバータの構成は、直流電圧を直流の出力電圧に変換可能な構成であれば、前記実施形態の構成に限定されない。ＤＣ／ＤＣコンバータの構成が前記実施形態の構成と異なる場合でも、電圧調整部の構成を、電圧検出部から出力された検出信号に基づいて、ＤＣ／ＤＣコンバータの出力電圧を調整可能な構成にすればよい。
【０１１２】
前記各実施形態では、機器１，１０１，２０１,３０１，４０１は、電圧低下検出部３，１０３と、報知部４，１０４とを有する。しかしながら、機器は、直流電源から出力される直流電圧の低下を検出可能な構成を有していれば、前記実施形態以外の構成を有していてもよい。
【産業上の利用可能性】
【０１１３】
本発明の直流電源装置は、直流電源とＤＣ／ＤＣコンバータとを備えた直流電源装置に利用可能である。
【符号の説明】
【０１１４】
１、１０１、２０１、３０１、４０１  機器
２  動作部
３、１０３  電圧低下検出部
４、１０４  報知部
１０、１１０、２１０、３１０、４１０  直流電源装置
１１  直流電源
１２  ＤＣ／ＤＣコンバータ
１３  抵抗分圧回路
１３ａ  抵抗
１３ｂ  抵抗
１４  電圧検出部
１５  電圧調整部
１６  並列回路
１６ａ  スイッチ
１６ｂ  抵抗
１１４ａ  第１電圧検出部
１１４ｂ  第２電圧検出部
１１５ａ、２１５ａ、３１５ａ、４１５ａ  第１電圧調整部
１１５ｂ、２１５ｂ、３１５ｂ、４１５ｂ  第２電圧調整部
１１６、２１６  第１並列回路
１１６ａ、２１６ａ、３１６ａ、４１６ａ  第１スイッチ
１１６ｂ、２１６ｂ、３１６ｂ、４１６ｂ  第１抵抗
１１７、２１７  第２並列回路
１１７ａ、２１７ａ、３１７ａ、４１７ａ  第２スイッチ
１１７ｂ、２１７ｂ、３１７ｂ、４１７ｂ  第２抵抗
【図１】
2020036473.tif 000003
【図２】
2020036473.tif 000004
【図３】
2020036473.tif 000005
【図４】
2020036473.tif 000006
【図５】
2020036473.tif 000007
【図６】
2020036473.tif 000008
【図７】
2020036473.tif 000009